【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
一時預かりボックスシステムにおいて、
電話機能を有する送受信部と、制御部と、施錠機構を有し、
一時預かりボックスの利用者が携帯電話機で前記送受信部の電話番号を呼び出したとき、前記制御部はその携帯電話番号情報を解錠ＩＤ情報として記憶し、前記施錠機構の制御を行うことを特徴とする一時預かりボックスシステム。
【請求項２】
一時預かりボックスシステムにおいて、
電話機能を有する送受信部と、制御部と、ボックスの扉が自動的に常時施錠されるオートロックを前提とするノーマルクローズ型の施錠機構と、記憶手段として読み書き可能なメモリと、を有し、
一時預かりボックスの利用者が携帯電話機で前記送受信部の電話番号を呼び出したとき、該携帯電話機の電話番号が発信されて前記送受信部を介して該携帯電話番号情報が前記メモリに記憶され、前記制御部はその発信された携帯電話番号情報を解錠ＩＤ情報とし、利用者が指定した利用ボックス番号に基づいて前記施錠機構の解錠制御を行って、前記ノーマルクローズ型のボックスの扉を開けるように構成されていることを特徴とする一時預かりボックスシステム。
【手続補正２】
【補正対象書類名】明細書
【補正対象項目名】全文
【補正方法】変更
【補正の内容】
【発明の詳細な説明】
【発明の名称】一時預かりボックスシステム
【技術分野】
【０００１】
本発明は、物品の一時預かりを行うメールボックス、宅配ボックス、クリーニングボックス等の一時預かりボックスシステムに関するものである。
【背景技術】
【０００２】
従来、この種の技術として特開平９−３３０４５８号公報（特許文献１）に開示されたロッカーシステムが提案されている。上記公知例ではＩＣカードにより認証識別を行ってロッカーを解錠し、更にはＩＣカードにプリペイド機能を持たせてロッカー使用料金の課金を行うことが出来るものである。
【０００３】
【特許文献１】特開平９−３３０４５８号公報
【発明の開示】
【発明が解決しようとする課題】
【０００４】
しかしながら、前述の公知例では、ＩＣカードにより認証識別を行ってロッカーを解錠するため利用者は常時、指定されたロッカー専用のＩＣカードを携帯しなければならない。
【０００５】
ＩＣカードは財布や手帳等に携帯し易いという利点が有るものの、銀行のキャッシュカードやクレジットカード、或いは各種スーパーや商店の得点カード等、生活に必要なあらゆるものがカード化している現状では財布や手帳等に収納した各種のカードの中から目的のＩＣカードを探し出すのが面倒な場合もある。
【０００６】
また、ＩＣカードを取り出す際には、先ず、該ＩＣカードを収納した財布や手帳を取り出さなければならないため、２工程の取り出し時間がかかり、取り出しが面倒である。
【０００７】
また、ＩＣカードを取り出すために、ロッカーに向かって通りや通路に背を向けた無防備な状態で、銀行のキャッシュカードやクレジットカード、或いは現金等を収納した財布や、身分証明書や高額の通勤、通学定期券を収納した手帳等の貴重品を取り出すのでは、防犯上あまりにも無防備であるため盗難を誘発する虞もある。
【０００８】
また、ＩＣカードは入力された暗証番号により本人確認を行うため暗証番号の入力工程が必要である。また、ＩＣカードは事前に氏名や暗証番号等を登録しておく必要が有り、且つ紛失し易く、紛失に際したカードの無効化と再発行手続が極めて煩雑である。
【０００９】
本発明は前記課題を解決するものであり、その目的とするところは、携帯電話機を利用して容易に一時預かりボックスを解錠することが出来、更にはインターネットを利用して一時預かりボックスの配置位置、経過利用料金、入出荷情報、空き状態等が容易に知得出来、一時預かりボックスの利用料金を携帯電話機の電話番号に対して課金出来る一時預かりボックスシステムを提供せんとするものである。
【課題を解決するための手段】
【００１０】
前記目的を達成するための本発明に係る一時預かりボックスシステムの第１の構成は、一時預かりボックスシステムにおいて、電話機能を有する送受信部と、制御部と、施錠機構を有し、一時預かりボックスの利用者が携帯電話機で前記送受信部の電話番号を呼び出したとき、前記制御部はその携帯電話番号情報を解錠ＩＤ情報として記憶し、前記施錠機構の制御を行うことを特徴とする。
【００１１】
また、本発明に係る一時預かりボックスシステムの第２の構成は、一時預かりボックスシステムにおいて、電話機能を有する送受信部と、制御部と、ボックスの扉が自動的に常時施錠されるオートロックを前提とするノーマルクローズ型の施錠機構と、記憶手段として読み書き可能なメモリと、を有し、一時預かりボックスの利用者が携帯電話機で前記送受信部の電話番号を呼び出したとき、該携帯電話機の電話番号が発信されて前記送受信部を介して該携帯電話番号情報が前記メモリに記憶され、前記制御部はその発信された携帯電話番号情報を解錠ＩＤ情報とし、利用者が指定した利用ボックス番号に基づいて前記施錠機構の解錠制御を行って、前記ノーマルクローズ型のボックスの扉を開けるように構成されていることを特徴とする。
【００１２】
上記構成によれば、利用者が携帯電話機を利用してＩＤ情報を発信すると、制御部に設けられたメモリまたは中央コンピュータに設けられたメモリに予め登録されたＩＤ情報と、携帯電話機から発信されたＩＤ情報とを照合して両者が一致した時に一時預かりボックスを解錠するため許可されたものだけが容易に一時預かりボックスを解錠することが出来る。
【００１３】
また、前記ＩＤ情報が前記携帯電話機自体の電話番号情報である場合には、予め設定された所定の一時預かりボックスの電話番号に電話を掛けると、携帯電話機自体の電話番号情報が自動的に発信される機能を用いてＩＤ情報として電話番号情報を容易に発信することが出来る。
【００１４】
前記携帯電話機自体の電話番号は事前に登録されているため身元確認が容易であるため、ＩＤ情報の照合を行うことなく一時預かりボックスを解錠することが出来る。また、ＩＤ情報に暗証番号情報や声紋情報による識別を加えることにより一層のセキュリティ性の向上を図ることが出来る。
【００１５】
前記携帯電話機はインターネットが利用可能であり、前記一時預かりボックスの配置位置、経過利用料金、入出荷情報、空き状態のうち少なくとも１つがインターネットを介して知得出来る場合には、現在空いている一時預かりボックスを容易に知得して利用することが出来、荷物の入出荷状態を容易に知得することが出来、経過利用料金を容易に知得することが出来る。
【００１６】
また、前記一時預かりボックスの利用料金が前記携帯電話機の電話番号に対して課金される場合には、電話料金として課金が容易に出来る。
【００１７】
また、前記携帯電話機から前記一時預かりボックスの予約をするために該一時預かりボックスの解錠の凍結を遠隔操作出来る場合には、一時預かりボックスの予約を容易に且つ確実に行うことが出来る。
【発明の効果】
【００１８】
本発明は、上述の如き構成と作用とを有するので、携帯電話機を利用して容易に一時預かりボックスを解錠することが出来、更にはインターネットを利用して一時預かりボックスの配置位置、経過利用料金、入出荷情報、空き状態等が容易に知得出来、一時預かりボックスの利用料金を携帯電話機の電話番号に対して課金出来る一時預かりボックスシステムを提供することが出来る。
【００１９】
即ち、利用者が携帯電話機を利用してＩＤ情報を発信すると、制御部が予め登録されたＩＤ情報と、携帯電話機から発信されたＩＤ情報とを照合して両者が一致した時に一時預かりボックスを解錠するため許可されたものだけが容易に一時預かりボックスを解錠することが出来る。
【００２０】
従って、鍵やカード等が不要であり、無くす虞もない。また、荷物の受取人への自動通知や経過利用料金、或いは停滞荷物の警告等の情報提供や予約等が可能となる。
【００２１】
また、従来は、利用者は荷物を取り出しに来て初めて料金を知ることが通常であり、支払い時のコインが足りるか否かを心配する煩わしさがあったが、一時預かりボックスの利用料金を携帯電話機の電話番号に対して課金すればコインを持ち歩く必要もない。
【００２２】
また、一時預かりボックスの運営会社にとっても利用状況がリアルタイムで把握出来るため別途保管（停滞した荷物を一時取り出し、持ち帰って保管する）の必要性が瞬時に判断出来、一時預かりボックスの回転率の向上や現場見回りの効率化を図ることが出来る。
【００２３】
また、一時預かりボックスの利用料金を携帯電話機の電話番号に対して課金すれば現金回収もしなくて済み、ユーザ利用に関するマーケティング統計も容易に取得出来る。
【００２４】
また、携帯電話機はインターネットが利用可能であり、一時預かりボックスの配置位置、経過利用料金、入出荷情報、空き状態のうち少なくとも１つがインターネットを介して知得出来る場合には、現在空いている一時預かりボックスを容易に知得して利用することが出来、荷物の入出荷状態を容易に知得することが出来、経過利用料金を容易に知得することが出来る。
【発明を実施するための最良の形態】
【００２５】
図により本発明に係る一時預かりボックスシステムの一実施形態を具体的に説明する。図１は本発明に係る一時預かりボックスシステムの構成を示す模式説明図、図２は本発明に係る一時預かりボックスシステムの各部の構成を示すブロック図、図３は携帯電話機を用いて一時預かりボックスシステムを利用する手順を示すフローチャートである。
【００２６】
図１及び図２において、１はインターネットが利用可能な携帯電話機であり、個人認証識別を行うためのＩＤ情報として携帯電話機１自体の電話番号情報を発信出来るものである。携帯電話機１は、例えば、（株）ＮＴＴドコモが提供するｉモード（ＮＴＴ移動通信網（株）の登録商標）対応の携帯電話機である。尚、本実施形態では、携帯電話機１としてＰＨＳ（Personal Handyphone System）も含む。
【００２７】
この携帯電話機１に設けられたディスプレイ１ａと、「１〜９」までの数字と「♯、＊」の記号からなる所謂テンキー１ｂを利用したボタン入力操作によってインターネットサイト（情報番組）接続サービスやｉモードメール等の各種のオンラインサービスが利用出来るものである。
【００２８】
ｉモード対応の携帯電話機１では、例えば、外出先や移動中でも銀行の残高照会や振込、各種チケットの予約、電子電話番号帳の番号検索、或いは天気予報、株価情報、ニュース速報、レストランガイド等、各種の情報サービス提供者が提供する各種オンラインサービスを利用することが出来、更にはｉモード対応の携帯電話機１同士や他のインターネットに接続されたパーソナルコンピュータとの間でインターネットメール（e-mail；電子メール）としても利用出来る。
【００２９】
２はメールボックス、宅配ボックス、クリーニングボックス等の一時預かりボックスであり、他の用途としてレンタルビデオや写真（ＤＰＥ）等の受渡しやロッカーとしても利用可能である。
【００３０】
一時預かりボックス２にはテンキーやマイク等の入力手段３ａや液晶表示装置やブラウン管ディスプレイ等の表示手段３ｂ、更にはスピーカー３ｃを配置したコントロールパネル３が設けられており、該コントロールパネル３の内部には携帯電話機１から発信されたＩＤ情報を照合して一時預かりボックス２を解錠する制御部４が設けられている。
【００３１】
また、各一時預かりボックス２の表面部には空き状態を知らせるためのランプ３ｅが設けられており、各一時預かりボックス２の内部には物品の存在を検知する赤外線センサ３ｄが夫々設けられている。尚、赤外線センサ３ｄの他に重量センサや他の種々のセンサが適用可能である。
【００３２】
制御部４の内部には携帯電話機１及び中央コンピュータ10との間でＩＤ情報や音声、文字、画像情報を送受信可能で電話機能を有する送受信部５と、ＣＰＵ（中央演算処理装置）６と、記憶手段として読み書き可能なメモリ７と、一時預かりボックス２の扉を施錠／解錠する施錠機構８が設けられている。
【００３３】
ＣＰＵ６はメモリ７からプログラムや各種データを読み出し、必要な演算や判断を行い、各種制御を行うものである。また、ＣＰＵ６にはカレンダー機能、時計機能及びタイマー機能及びカウンタ等が設けられている。
【００３４】
また、ＣＰＵ６は赤外線センサ３ｄの検知情報から一時預かりボックス２の空き状態を判別し、送受信部５からインターネット９を介して図２に示す中央管理センターに設けられた中央コンピュータ10に一時預かりボックス２の空き状態及び運営に関する各種記録データを伝達する。
【００３５】
また、ＣＰＵ６は施錠機構８によりボックスを解錠してから赤外線センサ３ｄが荷物の投入を検知するまでの時間を測定しており、予め設定された時間を経過した場合には、施錠機構８によりボックスを自動的に施錠するオートロックを作動させる。
【００３６】
メモリ７はＣＰＵ６が動作するための各種プログラムや、携帯電話機１から発信された電話番号等のＩＤ情報や、入力手段３ａから入力された暗証番号や暗号、声紋、或いは携帯電話機１から受信した声紋等のＩＤ情報を照合するために必要な各種データを格納しており、更には予め一時預かりボックス２の解錠を許可されたＩＤ情報が記憶されている。
【００３７】
また、メモリ７はＣＰＵ６が命令中のデータや演算結果を一時貯えておくワーキングエリア、携帯電話機１から発信されたＩＤ情報、或いはコントロールパネル３の入力手段３ａから入力されたＩＤ情報等の各種データを格納しておくバッファエリア等からなっている。
【００３８】
メモリ７は、携帯電話機１から発信されたＩＤ情報や、入力手段３ａから入力されたＩＤ情報を一時記憶し、このＩＤ情報と、メモリ７に記憶された予め一時預かりボックス２の扉の解錠を許可されたＩＤ情報とをＣＰＵ６が比較演算して両者が一致した場合に施錠機構８により一時預かりボックス２の扉を解錠する。
【００３９】
一時預かりボックス２の扉は使用前は常時施錠された状態であり、これにより悪戯やごみ捨て場と化すことを未然に防止出来るようになっている。
【００４０】
また、電話機能を有する送受信部５はインターネット９を介して中央コンピュータ10に接続されており、該中央コンピュータ10のメモリに格納されている複数の一時預かりボックス２の空き状態や各地の各場所に設置された一時預かりボックス２の配置位置及びそれ等の空き状態等の情報がインターネット９を介して送受信部５からＣＰＵ６に送られ、更にはメモリ７に格納されている荷物の入出荷情報や利用者の経過利用料金等の情報と共に該送受信部５から携帯電話機１に音声や文字、画像情報として提供される。
【００４１】
また、ＩＤ情報としては携帯電話機１自体の電話番号情報が利用出来、一時預かりボックス２の利用料金を携帯電話機１の電話番号に対して課金することが出来る。
【００４２】
尚、他のＩＤ情報として暗証番号や暗号や声紋等を用いても良いし、課金決済方法も電話料金の他に口座引落しやカード払いであっても良い。
【００４３】
また、携帯電話機１を用いて一時預かりボックス２を事前に予約することが出来るようになっており、一時預かりボックス２に到達する以前に予めインターネット９を介して予約を行うと、遠隔操作により中央コンピュータ10から制御部４に向けて施錠機構８の解錠を凍結する旨の指令が出され、予約した者が一時預かりボックス２に到達して携帯電話機１からＩＤ情報が送信された時点で一時預かりボックス２の解錠の凍結が解除され、利用出来るようになっている。
【００４４】
上記のように構成された一時預かりボックスシステムを利用する手順の一例を図３を用いて詳細に説明する。尚、以下に説明する利用手順は不特定多数の利用者が一時預かりボックス２を利用する場合であり、且つ携帯電話機１の電話番号のみを預入人のＩＤ情報として認める場合の一例である。
【００４５】
図３のステップＳ１において、先ず、荷物を預け入れる場合には、利用者は携帯電話機１を所持している必要があり、所持していない場合には利用出来ない（ステップＳ15）。
【００４６】
携帯電話機１を所持している利用者は、例えば、一時預かりボックス２のコントロールパネル３に設けられた表示手段３ｂに表示された電話番号に携帯電話機１から電話を掛ける（ステップＳ２）。
【００４７】
ステップＳ３において、ＩＤ情報として携帯電話機１の電話番号が発信されない場合には利用出来ない（ステップＳ16）。
【００４８】
ＩＤ情報として携帯電話機１の電話番号が発信された場合には送受信部５を介して該電話番号情報がメモリ７に記憶され、更に送受信部５、インターネット９を介して中央管理センターに設けられた中央コンピュータ10に送られる。
【００４９】
ステップＳ３において、携帯電話機１の電話番号を受信した制御部４では、ステップＳ４において、予めメモリ７に記憶された、例えば「入荷の場合には「０１＃」を押してください。出荷の場合には「０２＃」を押してください。」等のメッセージを表示手段３ｂに表示すると共に、携帯電話機１とスピーカー３ｃからボイスメッセージを流して入出荷の指示を待つ。
【００５０】
利用者が携帯電話機１を用いて「０１＃」を押して入荷の指示を行うと、各ボックスに設けられたランプ３ｅのうち、空きボックスのランプ３ｅが点滅して、利用者に空きボックスを知らせる（ステップＳ５）。尚、ランプ３ｅの点滅の代わりに表示手段３ｂに空きボックスの位置や番号を表示することでも良い。
【００５１】
利用者が携帯電話機１を用いて利用ボックス番号を指定すると（ステップＳ６）、ＣＰＵ６は指定されたボックスの施錠機構８を駆動して該ボックスの解錠を行い、これと同時に一時預かりボックス２の利用基本料金が携帯電話機１の電話番号に対して課金される（ステップＳ７）。
【００５２】
ステップＳ８において、利用者がボックスの扉を開けて荷物を入れると、荷物センサとなる赤外線センサ３ｄにより荷物の有無が検知され（ステップＳ９）、ＣＰＵ６に伝達される。ボックスの扉はバネ等で自動的に閉じられ、携帯電話機１から施錠を指示する。但し、赤外線センサ３ｄにより荷物が検知されない限り、施錠指示は機能しない。
【００５３】
ステップＳ９において、赤外線センサ３ｄが一定時間内に荷物の感知をしない場合には、予めメモリ７に記憶された、例えば「荷物をセンサの位置に入れてください。」等のメッセージを表示手段３ｂに表示すると共に、携帯電話機１とスピーカー３ｃからボイスメッセージを流して荷物が正常な位置に投入されるのを待つ。
【００５４】
ここで、所定時間内に荷物の投入が無い場合には、ＣＰＵ６は施錠機構８を駆動してボックスを自動的に施錠するオートロックを実行し、空きボックスの状態に戻す。利用者は再度ステップＳ２からやり直すか、クレーム係に電話する。
【００５５】
ステップＳ９において、赤外線センサ３ｄが荷物を感知すると、ＣＰＵ６は携帯電話機１からの施錠指示に基づいて施錠機構８を駆動して施錠を行い、これと同時に一時預かりボックス２を利用する時間制料金の課金を開始する（ステップＳ10）。この時、携帯電話機１と制御部４との間の電話回線が切断される。尚、２４時を過ぎた時点で一泊として加算する日割制料金の課金の方法であっても良い。
【００５６】
次にステップＳ11において、受取人の指定を行い、予めメモリ７に記憶された、例えば「受取人がご自分の場合には「１１＃」を押してください。受取人がご自分以外の場合には「１２＃」を押してください。受取人が提携業者の場合には「１３＃」を押してください。」等のメッセージを表示手段３ｂに表示すると共に、スピーカー３ｃからボイスメッセージを流して受取人の指示を待つ。尚、一定時間内に指示がなければ自動的に預入人を受取人と認識する。
【００５７】
受取人が自分や提携業者以外の第三者である場合には、利用者は入力手段３ａを用いて「１２＃」を押し、入力手段３ａから受取人の電話番号またはｅ−mail（電子メール）アドレス及び暗証番号を入力する（ステップＳ12）。但し、受取人のＩＤ情報が携帯電話機１の電話番号となる場合には暗証番号は不要とする。
【００５８】
また、受取人が提携業者である場合には、利用者は同じく入力手段３ａを用いて「１３＃」を押す（ステップＳ13）。
【００５９】
一時預かりボックス２の提携業者は、事前にその電話番号またはｅ−mail（電子メール）アドレス及び暗証番号がメモリ７や中央コンピュータ10に登録されており、多数桁からなる長いＩＤ情報を入力する代わりに短縮番号等の簡易な番号や記号を入力手段３ａから入力することで手続を完了することが出来るようになっている。尚、この場合の暗証番号は提携業者から事前に登録され、且つセキュリティの目的で定期的に更新される。
【００６０】
また、受取人が自分である場合には、利用者は入力手段３ａを用いて「１１＃」を押す。受取人が自分である場合には、利用者は携帯電話機１を用いて一時預かりボックス２に電話を掛けて荷物を預けたボックスを指定するだけで該ボックスを解錠することが許容されている。
【００６１】
ステップＳ11〜Ｓ13において、受取人の指定が行われると、利用日時、オートロックの時間、預入人、受取人、ボックス番号、利用者の電話番号、ｅ−mail（電子メール）アドレス等の利用記録がプリンタ３ｆから印刷出力され、これと同時に送受信部５、インターネット９を介して上記利用情報が中央管理センターに設けられた中央コンピュータ10に送られる。
【００６２】
中央コンピュータ10は指定された受取人の電話またはコンピュータ等の情報端末に対して、インターネット９を介して、預入人からどの一時預かりボックス２に荷物が預けられたかをｅ−mail（電子メール）やボイスメールにより通知する（ステップＳ14）。尚、受取人が提携業者である場合には、この時点から利用料を受取人の負担とすることでも良い。
【００６３】
インターネット９を介してｅ−mail（電子メール）やボイスメールにより荷物が預けられたことを知得した第三者や提携業者は、指定された一時預かりボックス２に出向き、前述したと同様にステップＳ１〜Ｓ３を携帯電話機１または入力手段３ａを用いて実施した後、ステップＳ４において、受取人が携帯電話機１または入力手段３ａを用いて「０２＃」を押して出荷の指示を行う。尚、預け入れた本人も同様である。
【００６４】
ステップＳ17において、ＣＰＵ６は預け入れた利用者が予め指定した受取人（或いは本人）の携帯電話機１の電話番号、或いは暗証番号と、出向いた受取人の携帯電話機１から発信された電話番号或いは入力手段３ａを用いて入力された暗証番号とを照合し、それ等が一致しない場合には、予めメモリ７に記憶された、例えば「ＩＤが一致しないため荷物の受け取りが出来ません。」等のメッセージを表示手段３ｂに表示すると共に、受取人の携帯電話機１またはスピーカー３ｃからボイスメッセージを流して出荷不能とする（ステップＳ25）。
【００６５】
前記ステップＳ17において、預け入れた利用者が予め指定した受取人の携帯電話機１の電話番号或いは暗証番号と、出向いた受取人（或いは本人）の携帯電話機１から発信された電話番号或いは入力手段３ａを用いて入力された暗証番号とが一致した場合には、予めメモリ７に記憶された、例えば「利用ボックス番号を入力してください。」等のメッセージを表示手段３ｂに表示すると共に、受取人の携帯電話機１またはスピーカー３ｃからボイスメッセージを流して利用ボックス番号の入力を待つ。
【００６６】
ステップＳ18において、受取人は入力手段３ａを用いて、預け入れた利用者が予め指定した利用ボックス番号を入力し、ステップＳ19において、ＣＰＵ６は入力された利用ボックス番号と預入人が利用したボックス番号とが一致した場合に施錠機構８を駆動して一時預かりボックス２を解錠し、これと同時に課金を停止し、電話回線が切断される（ステップＳ20）。
【００６７】
ステップＳ19において入力された利用ボックス番号と預入人が利用したボックス番号とが一致しない場合には、予めメモリ７に記憶された、例えば「利用ボックス番号が一致しないため荷物の受け取りが出来ません。」等のメッセージを表示手段３ｂに表示すると共に、携帯電話機１またはスピーカー３ｃからボイスメッセージを流して出荷不能とする（ステップＳ26）。
【００６８】
次にステップＳ21において、受取人は指定された一時預かりボックス２の扉を開けて荷物を出し、一時預かりボックス２の扉を閉める。ステップＳ22において荷物センサとなる赤外線センサ３ｄにより荷物の有無が検知され、ＣＰＵ６に伝達される。
【００６９】
ボックスの扉は手動でも閉められるが赤外線センサ３ｄにより荷物が取り出されたことを検知してから所定の時間（例えば１分程度）が経過すると自動的に施錠するオートロックが作動する。
【００７０】
ステップＳ22において、赤外線センサ３ｄが荷物の感知をしたままの場合には、予めメモリ７に記憶された、例えば「荷物を取り出してください。」等のメッセージを表示手段３ｂに表示すると共に、スピーカー３ｃからボイスメッセージを流して荷物が取り出されるのを待つ。
【００７１】
そして、赤外線センサ３ｄにより荷物が取り出されたことを検知してから所定の時間（例えば１分程度）が経過すると、ＣＰＵ６は施錠機構８を駆動してボックスを自動的に施錠するオートロックを実行する（ステップＳ23）。尚、一定時間以上、荷物を赤外線センサ３ｄで感知し続けた場合、該ボックスはオートロックされると同時に中央コンピュータ10へ異常を通知する。
【００７２】
受取日時、オートロック解除の時間、預入人、受取人、ボックス番号、利用者の電話番号等の利用記録がプリンタ３ｆから印刷出力され、これと同時に送受信部５、インターネット９を介して上記利用情報が中央管理センターに設けられた中央コンピュータ10に送られる。
【００７３】
受取人が預入人と異なる場合、中央コンピュータ10は預入人に対して、インターネット９を介して、受取人により一時預かりボックス２の荷物が取り出されたことをｅ−mail（電子メール）やボイスメールにより通知する（ステップＳ24）。
【００７４】
尚、ステップＳ11において第三者や提携業者を受取人に指定した後、預け入れた本人が一時預かりボックス２を解錠して荷物を取り出した場合には予定受取人に対して荷物の受け取りがキャンセルされた旨のメッセージがインターネット９を介してｅ−mail（電子メール）やボイスメールにより通知される。
【００７５】
尚、表示手段３ｂやスピーカー３ｃから通知される各種のメッセージは携帯電話機１のディスプレイ１ａにより通知され、入力手段３ａを用いた各種の入力も携帯電話機１のテンキー１ｂを用いて入力することでも良い。
【００７６】
また、一時預かりボックス２は事前に予約することが出来るようになっており、中央コンピュータ10からインターネット９を介して得られる一時預かりボックス２の空き情報等に基づいて、一時預かりボックス２から離れた場所からでも前述したステップＳ１〜Ｓ３を行ってステップＳ４で携帯電話機１のテンキー１ｂを用いて「０１＃」を入力して入荷の指示を行うと、利用者に空きボックスが通知され、利用者が携帯電話機１のテンキー１ｂを用いて利用ボックス番号を指定することが出来る。
【００７７】
また、ステップＳ４において、「０１＃」を入力して入荷の指示を行うと、例えば「予約の場合には「０３＃」を入力してください。」等のメッセージが携帯電話機１のディスプレイ１ａに表示され、或いはボイスメッセージを流して予約か否かの確認を行う。
【００７８】
予約を行う「０３＃」が入力された場合には、ＣＰＵ６は指定されたボックスの施錠機構８を制御して該ボックスの解錠の一時凍結を行い、これと同時に一時預かりボックス２の利用基本料金や時間制料金が携帯電話機１の電話番号に対して課金される。
【００７９】
尚、予約は一時預かりボックス２の前に立った位置でも同様に行うことが出来、入力手段３ａや携帯電話機１のテンキー１ｂによって「０１＃」を入力して入荷の指示を行うと、例えば「予約の場合には「０３＃」を入力してください。」等のメッセージが表示手段３ｂや携帯電話機１のディスプレイ１ａに表示され、或いはスピーカー３ｃや携帯電話機１等からもボイスメッセージを流して予約か否かの確認を行い、入力手段３ａや携帯電話機１のテンキー１ｂによって予約を行う「０３＃」を入力する。
【００８０】
予約された一時預かりボックス２は再度ステップＳ１〜Ｓ４を行ってステップＳ４で「０１＃」を入力して入荷の指示を行うと、一旦、時間制料金の課金が中断され、ステップＳ７以降の預入操作が実施出来るようになっている。
【００８１】
尚、前述した実施形態では、不特定多数の利用者が一時預かりボックス２を利用出来る場合の一例について説明したが、予め登録された利用者に限定した会員制の一時預かりボックス２として構成することも出来る。この場合、預入人や受取人は携帯電話機１を持たなくても予め登録された暗証番号や暗号或いは声紋を入力手段３ａにより入力して利用することが出来る。
【００８２】
尚、携帯電話機１を所持している場合には声紋は携帯電話機１から入力することが出来る。また、声紋は予め携帯電話機１や電話等を通じて事前に中央コンピュータ10に登録される。
【００８３】
また、コイン等の現金により利用料金を支払う構成であっても良いが、携帯電話機１を用いて使用料金を事前に問い合わせることが出来るので支払うべきコイン等の現金を事前に用意しておくことが出来る。
【００８４】
また、オートロックを前提とする完璧なノーマルクローズ型であり、預入人を携帯電話機１による利用に制限することにより身元の判明が容易となり、且つ解錠と同時に課金が可能となるため悪戯やごみ捨て場と化す虞がない。
【産業上の利用可能性】
【００８５】
本発明の活用例として、物品の一時預かりを行うメールボックス、宅配ボックス、クリーニングボックス等の一時預かりボックスシステムに適用出来る。
【図面の簡単な説明】
【００８６】
【図１】本発明に係る一時預かりボックスシステムの構成を示す模式説明図である。
【図２】本発明に係る一時預かりボックスシステムの各部の構成を示すブロック図である。
【図３】携帯電話機を用いて一時預かりボックスシステムを利用する手順を示すフローチャートである。
【符号の説明】
【００８７】
１…携帯電話機
１ａ…ディスプレイ
１ｂ…テンキー
２…一時預かりボックス
３…コントロールパネル
３ａ…入力手段
３ｂ…表示手段
３ｃ…スピーカー
３ｄ…赤外線センサ
３ｅ…ランプ
３ｆ…プリンタ
４…制御部
５…送受信部
６…ＣＰＵ
７…メモリ
８…施錠機構
９…インターネット
10…中央コンピュータ